(57)【要約】【課題】靴下の開口部に口ゴムを設けないでゆったり感を持たせて着用中の血行障害および脱いだ後に跡形が残ることを解消するとともに、着用時においてずれることを抑制する。【解決手段】この靴下１００は、開口部１０２から踵部１１０までを構成する環状のボディ部１０４と、ボディ部１０４と一体に編成され、踵部１１０から爪先部１０８までを構成する環状のフット部１０６とから編成され、開口部１０２に口ゴムを備えず、開口部１０２とボディ部１０４とフット部１０６とに、他の部分を構成する編み糸よりも強い弾性力を備えた編み糸により編成された細幅の環状締め付け部を備える。【選択図】図２
2014047435.tif 000002
【特許請求の範囲】
【請求項１】
開口部から踵部までを構成する環状のボディ部と、前記ボディ部と一体に編成され、前記踵部から爪先部までを構成する環状のフット部とから編成される靴下において、
前記開口部に口ゴムを備えず、
前記開口部と前記ボディ部と前記フット部とにおいて、他の部分を構成する編み糸よりも強い弾性力を備えた編み糸により編成された細幅の環状締め付け部を備えることを特徴とする靴下。
【発明の詳細な説明】
【技術分野】
【０００１】
本発明は、編地で構成された靴下に関し、特に、足先を挿入する穿き口（開口部）に口ゴムを備えなくても、着用時にずれることを抑制することのできる靴下に関する。
【背景技術】
【０００２】
本来、靴下は、足によくフィットし、ずれ落ちし難く、部分的または全体的に過度の締め付け力を感じさせないで自然な状態で着用できることが望ましい。一般的に、靴下がずれ落ちる原因として、開口部に設けられた口ゴムの締め付け力が不足していることが考えられる。そこで、口ゴムの締め付け力を強くして靴下のずれ落ちを防止しようとすると、着用中の締め付け力が過度となり、着用者に苦痛を与えるばかりでなく、着用中は血行障害ともなり、また、脱いだ後は跡形が残るといった不具合がある。
【０００３】
このような問題点に鑑みて開発された靴下が、以下の先行技術文献に開示されている。実用新案登録第３１１７３４１号公報（特許文献１）は、着用時に足首近辺にくる部位に締め付け部を形成し、締め付け部から爪先部までの間に緩衝部を設けた靴下を開示する。着用時に足首近辺にくる部位に、ずれ防止のための締め付け部が形成してある。この締め付け部だけでは激しく運動した際などには爪先部位に力が入ることが多く靴下が爪先方向に引っ張られるために踵部がずれ落ちてしまう。このため、この特許文献１に開示された靴下は、締め付け部と爪先部との間に、伸縮性に富む性質を有する緩衝部を設けた。この緩衝部により爪先部が引っ張られた際に緩衝部が伸びることにより爪先部方向に引っ張られる力が緩衝され、つまりは踵部がずれることが防止され.その結果、開口部にゆったり感を持たせたとしてもずれが生じにくい靴下を提供することができる。
【先行技術文献】
【特許文献】
【０００４】
【特許文献１】実用新案登録第３１１７３４１号公報
【発明の概要】
【発明が解決しようとする課題】
【０００５】
特許文献１に開示された靴下は、踵部の前後に強めの弾性力を付与した締め付け部を形成した従来の靴下に加えて、締め付け部から爪先部までは伸縮性に富む性質を有する緩衝部を設けた。
しかしながら、締め付け部から爪先部までには緩衝部しか形成されていないために、開口部にゆったり感を持たせた場合に、実用に耐えうるほどまでに靴下がずれることを抑制できない。すなわち、この特許文献１に開示された靴下では、開口部にゆったり感を持たせることはできたとしても、ずれが生じてしまい、ずれにくい靴下を実現できていない。
【０００６】
本発明は、従来技術の上述の問題点に鑑みて開発されたものであり、その目的とするところは、開口部に口ゴムを設けないでゆったり感を持たせて着用中の血行障害および脱いだ後に跡形が残ることを解消するとともに、着用時においてずれることを抑制することのできる靴下を提供することである。
【課題を解決するための手段】
【０００７】
上記目的を達成するため、本発明に係る靴下は以下の技術的手段を講じている。
すなわち、本発明に係る靴下は、開口部から踵部までを構成する環状のボディ部と、前記ボディ部と一体に編成され、前記踵部から爪先部までを構成する環状のフット部とから編成される。この靴下において、前記開口部に口ゴムを備えず、前記開口部と前記ボディ部と前記フット部とにおいて、他の部分を構成する編み糸よりも強い弾性力を備えた編み糸により編成された細幅の環状締め付け部を備えることを特徴とする。
【発明の効果】
【０００８】
本発明の靴下によれば、開口部に口ゴムを設けないでゆったり感を持たせて着用中の血行障害および脱いだ後に跡形が残ることを解消するとともに、着用時においてずれることを抑制することができる。
【図面の簡単な説明】
【０００９】
【図１】本発明の実施の形態に係る靴下の概略側面図である。
【図２】図１の靴下を裏返した概略側面図である。
【発明を実施するための形態】
【００１０】
以下、本発明の実施の形態に係る靴下を、図面に基づき詳しく説明する。ここで、靴下の構造には様々なものがあり、本発明は特定の構造に限定されるものではなく、後述する特徴を備えたものであれば、どのような靴下の構造であっても、靴下を構成する編地の編み組織および編み糸がどのようなものであっても構わない。そのため、以下に示す靴下の構造自体は単なる例示でしかない。なお、本発明は、アンクレット型と呼ばれる足首くらいまでの長さの靴下に、特に好ましい。
【００１１】
また、以下に示す靴下は左右共用であるために、左右を履き間違いすることがない点で好ましい。
図１は、本実施の形態に係る靴下１００（左右ペアの一方）の概略側面図であって、図２は、この靴下１００を裏返した概略側面図である。なお、これらの図は、着用前の靴下１００を平面状に折り畳んで平面に載置した図であって、着用時を想定した図ではない。
【００１２】
図１および図２において、この靴下１００は、開口部（穿き口）１０２から踵部１１０までを構成している環状のボディ部１０４と、踵部１１０から爪先部１０８までを構成している環状のフット部１０６とを備えている。
開口部１０２は、口ゴムを備えていない。すなわち、開口部１０２においては、ゴム編みまたはそれに類する編み組織でもなく、ゴム糸を挿入した編み組織でもない。なお、従来の一般的な靴下においては、丸編み機を用いて、開口部をゴム編みまたはゴム糸を挿入した平編みで編成することにより締め付け力を大きくし、靴下のずれ落ちを防止している。
【００１３】
開口部１０２、ボディ部１０４およびフット部１０６の編み組織は、特に制約されるものではなく、従来の靴下と同様な編み組織、たとえば、平編み組織で編成される。このように編み組織は特に限定されないものの、後述するように、この靴下１００には、３ヶ所の環状締め付け部が編成されることが特徴である。これらの環状締め付け部は、他の部分を構成する編み糸よりも強い弾性力を備えた編み糸により編成された細幅の環状形状を備え、締め付け力が強い。
【００１４】
フット部１０６を構成する踵部１１０は、ゴアライン１１２を中心として何回も目減らし・目増やしを行って編成されている。フット部１０６を構成する爪先部１０８は、足底側から編成を始め、ゴアライン１１２を中心として何回も目減らし・目増やしを行って編成されている。フット部１０６における爪先部１０８および踵部１１０ならびに第３の環状締め付け部２０６以外は平編み等の任意の組織で編成されている。
【００１５】
このような靴下１００の特徴的な構成である環状締め付け部について説明する。この靴下は、３ヶ所の環状締め付け部を備える。
図１および図２に示すように、開口部１０２には、第１の環状締め付け部２０２が編成され、ボディ部１０４には、第２の環状締め付け部２０４が編成され、フット部１０６には、第３の環状締め付け部２０６が編成される。なお、第２の環状締め付け部２０４は、踵部１１０を避けるようにＹ字状に途中で分岐している。第２の環状締め付け部２０４において、上側（開口部１０２側）の環状締め付け部を上側環状締め付け部２０４Ａと、下側（爪先部１０８側）の環状締め付け部を下側環状締め付け部２０４Ｂと、図１および図２では記載している。なお、ボディ部１０４は、開口部１０２から踵部１１０までを構成し、フット部１０６は、踵部１１０から爪先部１０８までを構成しているので、厳密には、上側環状締め付け部２０４Ａはボディ部１０４に設けられており、下側環状締め付け部２０４Ｂはフット部１０６に設けられていることになる。
【００１６】
これらの環状締め付け部は、他の部分を構成する編み糸よりも強い弾性力を備えた編み糸により編成された細幅（１０〜３０ｍｍ程度であって着用中の締め付け力が過度にならない細幅）の環状形状を備え、締め付け力が強い。なお、開口部１０２にも第１の環状締め付け部２０２が設けられており、この第１の環状締め付け部２０２の締め付け力は着用中の血行障害および脱いだ後に跡形が残ることがない程度の締め付け力である。また、第
１の環状締め付け部２０２の締め付け力、第２の環状締め付け部２０４の締め付け力および第３の環状締め付け部２０６の締め付け力は、以下に示すように編み糸の種類が同じであるので、伸張長さが同じ程度であれば同じ程度の締め付け力が発生することになる。
【００１７】
この環状締め付け部を編成する編み糸として、たとえば、表糸として６５ｄｔｅｘ（５９ｄ）の双糸、裏糸として芯糸が２０ｄｔｅｘ（１８ｄ）のポリウレタン糸でカバリング糸が３３ｄｔｅｘ（３０ｄ）のナイロン糸のＦＴＹ糸（Ｆｉｌａｍｅｎｔ  Ｔｗｉｓｔｅｄ  Ｙａｒｎ）が用いられる。この環状締め付け部以外を編成する編み糸として、３９ｄｔｅｘ（３５ｄ）のウーリーナイロン糸（単糸）が用いられる。
【００１８】
このように、環状締め付け部にポリウレタン糸を用いているために他の部分よりも締め付け力が強いが、その締め付け力は、着用中の血行障害および脱いだ後に跡形が残ることがない程度である。そして、このような環状締め付け部が、開口部１０２、ボディ部１０４およびフット部１０６の３ヶ所に設けられている。そのため、図２において黒矢印で示すように、３ヶ所において、分散された締め付け力が発生する。この場合において、黒矢印は着用時に発生する締め付け力の大きさ（矢示の長さ）と方向とを示している。
【００１９】
第２の環状締め付け部２０４における上側環状締め付け部２０４Ａは、足首の最も太い部分に環状で設けられているために他の環状締め付け部よりも伸張される。このように大きく伸張されるので、上側環状締め付け部２０４Ａには大きな締め付け力が発生する。この上側環状締め付け部２０４Ａにより大きな締め付け力が発生されることにより、フット部１０６で発生した靴下１００を脱がせようとする力はボディ部１０４に伝搬することがなくなるか、少ししか伝搬しなくなる。その結果、開口部１０２における締め付け力がさほど大きくなくとも、開口部１０２がフット部１０６に引っ張られて靴下１００がずれることを抑制することができる。
【００２０】
また、環状締め付け部が設けられた３ヶ所の部分（開口部１０２、ボディ部１０４、フット部１０６）のそれぞれにおいて、所望の締め付け力が発生して、３ヶ所においてそれぞれの部分がずれることを抑制している。
このように靴下１００の略中央部で大きな締め付け力が発生するとともに、靴下１００の３ヶ所において分散された締め付け力が発生する。靴下１００の略中央部で大きな締め付け力が発生することと、靴下１００の３ヶ所において分散された締め付け力が発生することとの相乗効果により、開口部１０２に口ゴムがなく開口部１０２における締め付け力が弱くても、靴下１００の着用時にずれることを回避することができている。
【００２１】
以上のようにして、本実施の形態に係る靴下は、着用者の足の３ヶ所を保持するので、開口部に口ゴムを設けないでゆったり感を持たせて着用中の血行障害および脱いだ後に跡形が残ることを解消するとともに、着用時においてずれることを抑制することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２２】
本発明は、開口部に口ゴムを設けないでゆったり感を持たせて着用中の血行障害および脱いだ後に跡形が残ることを解消する靴下に好適であり、このようにゆったり感を持たせても着用時においてずれることを抑制することができる点で特に好ましい。
【符号の説明】
【００２３】
１００  靴下
１０２  開口部
１０４  ボディ部
１０６  フット部
１０８  爪先部
１１０  踵部
２０２  第１の環状締め付け部（開口部）
２０４  第２の環状締め付け部（ボディ部）
２０６  第３の環状締め付け部（フット部）
【図１】
2014047435.tif 000003
【図２】
2014047435.tif 000004